(57)【要約】【課題】低コストかつ簡易な構成で表示画像の立体視を実現する画像表示回路装置を得ること。【解決手段】ブリッジ回路２０が、画像データを出力する表示コントローラ１０からの右目用の画像データおよび左目用の画像データを記憶するフレームメモリ２６と、右目用の画像データおよび左目用の画像データを、画像データを表示する液晶表示装置３０に出力するタイミングを生成するタイミング生成部２３と、タイミング生成部２３で生成されたタイミングに基づいて、フレームメモリ２６で記憶している右目用の画像データおよび左目用の画像データを、液晶表示装置３０に出力させるよう制御するメモリ制御部２４と、を備える。【選択図】        図１
2005260338.tif 000002
【特許請求の範囲】
【請求項１】
画像データを出力する画像出力装置からの右目用の画像データおよび左目用の画像データを記憶する記憶部と、
前記右目用の画像データおよび前記左目用の画像データを、前記画像データを表示する画像表示装置に出力するタイミングを生成するタイミング生成部と、
前記タイミング生成部で生成されたタイミングに基づいて、前記記憶部で記憶している前記右目用の画像データおよび前記左目用の画像データを、前記画像表示装置に出力させるよう制御する出力制御部と、を備えることを特徴とする画像表示回路装置。
【請求項２】
前記出力制御部は、前記右目用の画像データおよび前記左目用の画像データが静止画の画像データである場合に、前記右目用の画像データおよび前記左目用の画像データを交互に繰り返して前記画像表示装置に出力することを特徴とする請求項１に記載の画像表示回路装置。
【請求項３】
前記画像出力装置からの画像データをそのまま画像表示装置に出力するか、前記画像出力装置からの画像データを前記記憶部で記憶した後に前記制御部の制御によって前記画像表示装置に出力するかを切替える出力データ切替部と、
前記画像出力装置から出力される情報に基づいて前記出力データ切替部を制御する情報解析部をさらに備えることを特徴とする請求項１または２に記載の画像表示回路装置。
【請求項４】
前記情報解析部は、
前記画像出力装置から出力される画像データが前記右目用の画像データおよび前記左目用の画像データであると判断した場合は、前記出力データ切替部が前記画像出力装置からの画像データを前記記憶部で記憶した後に前記制御部の制御によって前記画像表示装置に出力するよう前記出力データ切替部を制御し、
前記画像出力装置から出力される画像データが前記右目用の画像データおよび前記左目用の画像データでないと判断した場合は、前記画像出力装置からの画像データをそのまま画像表示装置に出力するよう前記出力データ切替部を制御することを特徴とする請求項３に記載の画像表示回路装置。
【請求項５】
前記記憶部、前記タイミング生成部および前記出力制御部の動作周波数の元になるクロックと、前記クロックを制御するクロック制御部と、をさらに備え、
前記クロック制御部は、前記情報解析部が前記画像出力装置から出力される画像データが前記右目用の画像データおよび前記左目用の画像データでないと判断した場合に、前記クロックを停止させることを特徴とする請求項１〜４のいずれか１つに記載の画像表示回路装置。
【請求項６】
画像データを出力する画像出力装置と、前記画像データを表示する画像表示装置とからなる画像表示システムにおいて、
前記画像出力装置と前記画像表示装置に接続される画像表示回路装置をさらに備え、
前記画像表示回路装置は、
前記画像出力装置から出力される右目用の画像データおよび左目用の画像データを記憶する記憶部と、
前記右目用の画像データおよび前記左目用の画像データを前記画像表示装置に出力するタイミングを生成するタイミング生成部と、
前記タイミング生成部で生成されたタイミングに基づいて、前記記憶部で記憶している前記右目用の画像データおよび前記左目用の画像データを、前記画像表示装置に出力させるよう制御する制御部と、を備えることを特徴とする画像表示システム。
【発明の詳細な説明】
【技術分野】
【０００１】
本発明は、表示ディスプレイ上に立体視画像を表示させる立体画像表示回路装置および画像表示システムに関するものである。
【背景技術】
【０００２】
人間は、左右の目で物体を観ることによって、物体の立体感を認識している。ところが、１台のカメラによって撮像された画像（映像）をテレビモニタ等の表示装置に２次元表示させると、現実感のある画像の表示が行えないといった問題があった。
【０００３】
立体感のある画像を表示させるための技術として、１つの被写体を人間の左右の目に対応する方向から２台のカメラで撮像し表示ディスプレイに表示する方法がある。この方法では、表示ディスプレイ上に撮像した右目用画像と左目用画像を交互に表示させる。視聴者は、表示ディスプレイに表示された画像を立体視用のシャッタつき目鏡を介して観る。ディスプレイに表示される右目用画像と左目用画像の画像表示に同期させて、立体視用の目鏡の左右のシャッタを切替える。これによって、人間の右目に右目用の画像を認識させるとともに人間の左目に左目用の画像を認識させ、人間に撮像した画像を立体的に認識させている。
【０００４】
しかし、上記のような立体視用の目鏡を装着する方法では、視聴者の快適性が損なわれるといった問題があった。そこで、立体視用の目鏡を装着せずに、立体感のある画像を表示させる技術の開発が進められている。
【０００５】
特許文献１に記載の立体画像表示システムは、共通の被写体を互いに所定の撮影角度をもって、それぞれ斜め左側と斜め右側とから左目映像と右目映像を撮影している。左目映像と右目映像は、静止画を連続させることによって動画を表現しうる所定の時間間隔毎に形成された静止画である左目画像や右目映像が連続したものである。この立体画像表示システムは、これら左目画像と右目映像を記憶可能な画像記憶手段とこの画像記憶手段を制御する制御手段とを備えている。そして、左目映像と右目映像を上記所定の時間間隔よりも短い時間間隔で画像記憶手段から交互に表示するよう切り替えている。
【０００６】
【特許文献１】特開平８−２５１６２８号公報
【発明の開示】
【発明が解決しようとする課題】
【０００７】
しかしながら、上記従来の技術で液晶表示パネル等に立体視を実現しようとすると、復号化回路、伸張回路、フレームメモリ、メモリ制御回路等を組み込んだ立体視専用の液晶ドライバや表示コントローラによって、左目映像と右目映像を交互に表示させる必要がある。このため、既存の液晶ドライバや表示コントローラによっては立体視を実現することができなかった。立体視を実現させるためには、立体視を実現するための専用の液晶ドライバや表示コントローラの設計等が必要となり、多額のコストを要するといった問題があった。
【０００８】
本発明は、上記に鑑みてなされたものであって、低コストかつ簡易な構成で表示画像の立体視を実現する画像表示回路装置を得ることを目的とする。
【課題を解決するための手段】
【０００９】
上述した課題を解決し、目的を達成するために、本発明に係る画像表示回路装置は、画像データを出力する画像出力装置からの右目用の画像データおよび左目用の画像データを記憶する記憶部と、前記右目用の画像データおよび前記左目用の画像データを、前記画像データを表示する画像表示装置に出力するタイミングを生成するタイミング生成部と、前記タイミング生成部で生成されたタイミングに基づいて、前記記憶部で記憶している前記右目用の画像データおよび前記左目用の画像データを、前記画像表示装置に出力させるよう制御する出力制御部と、を備えることを特徴とする。
【００１０】
この発明によれば、画像を立体視させるための専用の画像出力装置や画像表示装置以外の画像出力装置や画像表示装置に対しても、画像出力装置と画像表示装置の間に画像表示回路装置を接続させることによって、画像出力装置からの画像を画像表示装置において立体視できるよう表示させることができる。
【発明の効果】
【００１１】
この発明によれば、画像を立体視させるための専用の画像出力装置や画像表示装置以外の画像出力装置や画像表示装置に対しても、画像出力装置からの画像を画像表示装置において立体視できるよう表示させることができる。したがって、低コストかつ簡易な構成で画像出力装置が画像の立体的な表示を行うことが可能になるという効果を奏する。
【発明を実施するための最良の形態】
【００１２】
以下に、本発明にかかる立体画像表示回路装置の実施の形態を図面に基づいて詳細に説明する。なお、この実施の形態によりこの発明が限定されるものではない。
【００１３】
実施の形態１．
図１は、本発明の実施の形態１にかかる立体画像表示回路装置を備えた立体画像表示システムの構成を示す図である。立体画像表示システムは、画像や映像を立体的に表示させるシステムであり、表示コントローラ（画像出力装置）１０、ブリッジ回路（画像表示回路装置）２０、液晶表示装置（画像表示装置）３０からなる。まず、静止画像を立体的に表示させる場合について説明する。
【００１４】
表示コントローラ１０は、ブリッジ回路２０に左目用と右目用の２枚の画像データを送信する。ブリッジ回路２０は、表示コントローラ１０と液晶表示装置３０の間に接続される回路である。表示コントローラ１０からの画像データはブリッジ回路２０によって立体視可能な状態にされた後、液晶表示装置３０に送信される。
【００１５】
ブリッジ回路２０は、Ｉ／Ｆ切替部（出力データ切替部）２１、コマンド解析部（情報解析部）２２、タイミング生成部２３、メモリ制御部（出力制御部）２４、コマンド生成部２５、フレームメモリ（記憶部）２６からなる。
【００１６】
Ｉ／Ｆ切替部２１は、表示コントローラ１０から出力される画像データをそのまま液晶表示装置３０に転送するか、表示コントローラ１０から出力される画像データを立体視できる状態の画像として液晶表示装置３０に転送するかの切替を行う回路である。
【００１７】
コマンド解析部２２は、表示コントローラ１０から送信される指示情報（コマンド）に基づいてＩ／Ｆ切替部２１を制御する回路である。コマンド解析部２２は、表示コントローラ１０からの指示情報が立体視を行う旨の指示である場合は、コマンド生成部２５から送信される画像データ等を液晶表示装置３０に送信するようＩ／Ｆ切替部２１を制御する。一方、コマンド解析部２２は、表示コントローラ１０からの指示情報が立体視を行わない旨の指示である場合は、表示コントローラ１０から出力される画像データをそのまま液晶表示装置３０に転送するようＩ／Ｆ切替部２１を制御する。
【００１８】
また、コマンド解析部２２は、表示コントローラ１０からの指示情報が立体視を行う旨の指示である場合は、タイミング生成部２３とメモリ制御部２４に表示コントローラ１０からの画像データを立体視できる状態に処理するよう指示情報を送る。
【００１９】
フレームメモリ２６は、表示コントローラ１０から送信される右目用画像データＲと左目用画像データＬを記憶するＲＡＭ（Random Access Memory）等のメモリである。タイミング生成部２３は、フレームメモリ２６から右目用画像データＲと左目用画像データＬを読み出す（出力させる）タイミングに関する情報を生成し、タイミング情報としてメモリ制御部２４とコマンド生成部２５に送信する回路である。
【００２０】
メモリ制御部２４は、フレームメモリ２６を制御する回路であり、フレームメモリ２６が記憶している右目用画像データＲと左目用画像データＬを交互にコマンド生成部２５に出力するようフレームメモリ２６を制御する。メモリ制御部２４は、タイミング生成部２３からのタイミング情報に基づいてフレームメモリ２６を制御する。
【００２１】
コマンド生成部２５は、フレームメモリ２６から送信される右目用画像データＲと左目用画像データＬを、タイミング生成部２３からのタイミング情報に基づいてＩ／Ｆ切替部２１に送信する回路であり、必要に応じて右目用画像データＲまたは左目用画像データＬに液晶表示装置３０への指示情報を付加する。
【００２２】
液晶表示装置３０は、表示コントローラ１０が送信する画像を表示する装置であり、液晶ドライバ３１と液晶パネル３２からなる。液晶表示装置３０は、表示コントローラ１０からの指示情報に基づいて画像表示を行う。
【００２３】
液晶ドライバ３１は、液晶パネル３２を駆動するものであり、例えばドライバＩＣ（Integrated Circuit）等によって構成される。液晶パネル３２は、表示コントローラ１０が送信する画像を表示する液晶からなるディスプレイ等であり、液晶ドライバ３１によって駆動される。
【００２４】
つぎに、立体画像表示回路装置を備えた立体画像表示システムの動作手順について説明する。図２は、実施の形態１にかかる立体画像表示回路装置を備えた立体画像表示システムの動作手順を示すフローチャートである。
【００２５】
表示コントローラ１０から、ブリッジ回路２０へ立体視用の画像データ（右目用画像データＲと左目用画像データＬ）または通常の（立体視用ではない）画像データＸのいずれを送信するかの情報を送信し、ブリッジ回路２０のコマンド解析部２２がこの情報を受信する。
【００２６】
ブリッジ回路２０のコマンド解析部２２は、表示コントローラ１０から送られる情報に基づいて立体視用の画像データまたは通常の画像データＸのいずれを液晶表示装置３０に送信するかを判断する（ステップＳ１００）。
【００２７】
ブリッジ回路２０のコマンド解析部２２が、表示コントローラ１０から通常の画像データＸを送信する旨の情報を受信すると（ステップＳ１００、Ｎｏ）、コマンド解析部２２は表示コントローラ１０から送信される通常の画像データ等を液晶表示装置３０に送信するようＩ／Ｆ切替部２１に指示情報を送信する（ステップＳ１１０）。Ｉ／Ｆ切替部２１は、表示コントローラ１０からの画像データをそのまま液晶表示装置３０に転送し、液晶パネル３２において通常の画像を表示する（ステップＳ１１５）。
【００２８】
図３は、表示コントローラから送信される通常の画像データを液晶表示装置にそのまま送信している状態を示す図である。図３に示すように、表示コントローラ１０からの通常の画像データＸはブリッジ回路２０を通過し、そのまま液晶ドライバ３１に送られる。
【００２９】
一方、ブリッジ回路２０のコマンド解析部２２は、表示コントローラ１０から立体視用の画像データを送信する旨の情報を受信すると（ステップＳ１００、Ｙｅｓ）、コマンド生成部２５から送信される画像データ等を液晶表示装置３０に送信するようＩ／Ｆ切替部２１に指示情報を送信する（ステップＳ１２０）。
【００３０】
また、コマンド解析部２２が、立体視用の画像データを送信する旨の情報を受信すると、タイミング生成部２３とメモリ制御部２４に立体視用の画像データを生成するよう指示情報を送信する。
【００３１】
表示コントローラ１０からブリッジ回路２０に右目用画像データＲと左目用画像データＬの２枚の画像データを送信し、ブリッジ回路２０が右目用画像データＲと左目用画像データＬの２枚の画像データを受信する。表示コントローラ１０から送信された右目用画像データＲと左目用画像データＬは、メモリ制御部２４の制御によってフレームメモリ２６で記憶される（ステップＳ１３０）。
【００３２】
タイミング生成部２３は、フレームメモリ２６から右目用画像データＲと左目用画像データＬを送信する際のタイミング情報を生成し、メモリ制御部２４とコマンド生成部２５に送信する。
【００３３】
メモリ制御部２４は、タイミング生成部２３からのタイミング情報に基づいてフレームメモリ２６からコマンド生成部２５に右目用画像データＲと左目用画像データＬを交互に繰り返して送信させる（ステップＳ１４０）。
【００３４】
図４は、フレームメモリが送信する右目用画像データと左目用画像データを説明ための図である。図４に示すように表示コントローラ１０からの右目用画像データＲと左目用画像データＬがフレームメモリ２６に記憶されている。そして、フレームメモリ２６は記憶している右目用画像データＲと左目用画像データＬをメモリ制御部２４の制御によって右目用画像データＲ、左目用画像データＬ、右目用画像データＲ、左目用画像データＬの順番で交互に出力する。
【００３５】
コマンド生成部２５は、タイミング生成部２３からのタイミング情報に基づいて、右目用画像データＲと左目用画像データＬを交互にＩ／Ｆ切替部２１に送信する。このとき、コマンド生成部２５は、立体視用の画像データを送信する旨の情報を右目用画像データＲや左目用画像データＬに付加し、Ｉ／Ｆ切替部２１に送信する。
【００３６】
Ｉ／Ｆ切替部２１は、コマンド生成部２５から送信される、立体視用の画像データを送信する旨の情報が付加された右目用画像データＲや左目用画像データＬを液晶表示装置３０の液晶ドライバ３１に送信する。
【００３７】
液晶ドライバ３１は、右目用画像データＲや左目用画像データＬを液晶パネル３２に表示させる。液晶ドライバ３１は、ブリッジ回路２０のＩ／Ｆ切替部２１から右目用画像データＲと左目用画像データＬが交互に繰り返し送られてくるので、液晶パネル３２に対して右目用画像データＲと左目用画像データＬが立体視できるよう交互に繰り返し表示させる（ステップＳ１５０）。
【００３８】
液晶パネル３２が、右目用画像データＲと左目用画像データＬを交互に繰り返し表示することによって、液晶パネル３２を観ている立体画像表示システムの使用者は画像を立体的に認識可能となる。
【００３９】
このように、表示コントローラ１０が液晶表示装置３０に対して直接画像データを送信するのと同様の処理によってブリッジ回路２０に画像データを送信できる。また、液晶表示装置３０は、表示コントローラ１０から直接画像データを受信するのと同様の処理によってブリッジ回路２０から画像データを受信できる。
【００４０】
なお、表示コントローラ１０から送信される画像は動画（映像）であってもよい。表示コントローラ１０から送信される画像データが動画である場合に、この動画を液晶表示装置３０で立体視できるよう表示させるため、ブリッジ回路２０のフレームメモリ２６を動画用のフレームメモリにする。
【００４１】
図５は、動画を立体視可能な動画データとして送信可能なブリッジ回路の構成を示す図である。図５に示すようにブリッジ回路２０は、動画を立体視させるための動画フレームメモリ４０を備えている。
【００４２】
動画フレームメモリ４０は、セレクタ４１、メモリ部４２Ａ、メモリ部４３Ｂからなる。メモリ部４２Ａ，４２Ｂはともに表示コントローラ１０からの動画データを右目用画像データＲ、左目用画像データＬとして記憶するＲＡＭ等のメモリである。
【００４３】
セレクタ４１は、メモリ部４２Ａとメモリ部４２Ｂが行う処理を交互に切替えさせる機能を備えている。メモリ部４２Ａ，４２Ｂへは、動画データの右目用画像データＲと左目用画像データＬの２つのデータからなる１組の画像データ（以下、左右１組の画像データという）を交互に記憶させる。例えば、メモリ部４２Ａに左右１組の画像データを記憶させると、次の左右１組の画像データはメモリ部４２Ｂに記憶させる。さらに、メモリ部４２Ｂに左右１組の画像データを記憶させると、次の左右１組の画像データはメモリ部４２Ａに記憶させるといった処理を繰り返す。メモリ部４２Ａ，４２Ｂによる左右１組の画像データの記憶はセレクタ４１によって切替える。
【００４４】
また、メモリ部４２Ａから左右１組の画像データを出力させると、次の左右１組の画像データはメモリ部４２Ｂから出力させる。さらに、メモリ部４２Ｂに左右１組の画像データを出力させると、次の左右１組の画像データはメモリ部４２Ａに出力させるといった処理を繰り返す。メモリ部４２Ａ，４２Ｂによる左右１組の画像データの出力はセレクタ４１によって切替える。
【００４５】
メモリ部４２Ａが左右１組の画像データを記憶している間は、メモリ部４２Ｂにおいて記憶していた左右１組の画像データを出力し、メモリ部４２Ｂが左右１組の画像データを記憶している間は、メモリ部４２Ａにおいて記憶していた左右１組の画像データを出力するようにする。
【００４６】
例えば、Ｎ（Ｎは自然数）番目の左右１組の画像データがメモリ部４２Ａによって記憶されるとする。（Ｎ＋１）番目の左右１組の画像データは、メモリ部４２Ｂが記憶するとともに、メモリ部４２Ａは記憶していたＮ番目の左右１組の画像データをコマンド生成部２５に出力するようセレクタ４１がメモリ部４２Ａ，４２Ｂの処理を切替える。そして、（Ｎ＋２）番目の左右１組の画像データはメモリ部４２Ａが記憶するとともに、メモリ部４２Ｂは記憶していた（Ｎ＋１）番目の左右１組のデータをコマンド生成部２５に出力するようセレクタ４１がメモリ部４２Ａ，４２Ｂの処理を切替える。
【００４７】
メモリ部４２Ａ，４２Ｂから出力される左右1組の画像データは、コマンド生成部２５とＩ／Ｆ切替部２１を介して液晶ドライバ３１に送信される。動画フレームメモリ４０のメモリ部４２Ａ，４２Ｂから出力された画像データはコマンド生成部２５とＩ／Ｆ切替部２１を介して液晶ドライバ３１に送られて、液晶パネル３２で立体視できるよう表示させる。
【００４８】
なお、液晶パネル３２で画像データを表示した際に、フリッカー（ちらつき）等の画像の乱れが生じないように、タイミング生成部２３はメモリ部４２Ａ，４２Ｂやコマンド生成部２５から送信される左右１組の画像データの送信レートを調整しておく。ここでの、送信レートは表示コントローラ１０から送信される画像データの送信レートとは関係なく設定してよい。
【００４９】
なお、本実施の形態１においてはブリッジ回路２０が１つの集積回路からなる構成としたが、ブリッジ回路２０は、Ｉ／Ｆ切替部２１、コマンド解析部２２、タイミング生成部２３、メモリ制御部２４、コマンド生成部２５、フレームメモリ２６を夫々別々の構成としてもよい。
【００５０】
また、本実施の形態１においてはブリッジ回路２０が液晶表示装置３０に対して画像を立体視させるようにしたが、液晶表示装置３０に限られず他の表示装置に対して画像を立体視させるようにしてもよい。
【００５１】
このように実施の形態１によれば、既存の立体視用に作成されていない表示コントローラ１０や液晶表示装置３０に対しても、表示コントローラ１０と液晶表示装置３０にブリッジ回路２０を接続させることによって、表示コントローラ１０からの画像を液晶表示装置３０において立体視できるよう表示させることができる。したがって、立体視を実現するための専用の表示コントローラや専用の表示ドライバがなくても、低コストかつ簡易な構成で液晶表示装置３０が画像の立体的な表示を行うことが可能となる。
【００５２】
実施の形態２．
つぎに、図６および図７を用いてこの発明の実施の形態２について説明する。実施の形態２では、ブリッジ回路２０のＩ／Ｆ切替部２１が表示コントローラ１０からの画像データをそのまま液晶表示装置３０に転送する場合に、ブリッジ回路２０の内部クロックを停止させる。
【００５３】
図６は、本発明の実施の形態２にかかる立体画像表示回路装置を備えた立体画像表示システムの構成を示す図である。図６の各構成要素のうち図１に示す実施の形態１の立体画像表示システムと同一機能を達成する構成要素については同一番号を付しており、重複する説明は省略する。ブリッジ回路２０は、Ｉ／Ｆ切替部２１、コマンド解析部２２、タイミング生成部２３、メモリ制御部２４、コマンド生成部２５、フレームメモリ２６に加えてクロック制御部５０とクロック５１を備えている。
【００５４】
クロック５１は、タイミング生成部２３、メモリ制御部２４、フレームメモリ２６と接続されており、タイミング生成部２３、メモリ制御部２４、コマンド生成部２５、フレームメモリ２６を動作させるためのタイミング信号を生成する。
【００５５】
クロック制御部５０は、ブリッジ回路２０が表示コントローラ１０から受信した画像データに対して立体視を実現させるための処理を施していない場合に、クロック５１を停止させるよう制御する回路である。クロック５１の停止によりタイミング生成部２３、メモリ制御部２４、コマンド生成部２５、フレームメモリ２６の動作が停止する。この場合であってもコマンド解析部２２やクロック制御部５０の動作は停止しない。
【００５６】
つぎに、立体画像表示回路装置を備えた立体画像表示システムの動作手順について説明する。図７は、実施の形態２にかかる立体画像表示回路装置を備えた立体画像表示システムの動作手順を示すフローチャートである。
【００５７】
表示コントローラ１０から、ブリッジ回路２０へ立体視用の画像データ（右目用画像データＲと左目用画像データＬ）または通常の（立体視用ではない）画像データＸのいずれを送信するかの情報を送信し、ブリッジ回路２０のコマンド解析部２２がこの情報を受信する。
【００５８】
ブリッジ回路２０のコマンド解析部２２は、表示コントローラ１０から送られる情報に基づいて立体視用の画像データまたは通常の画像データＸのいずれを液晶表示装置３０に送信するかを判断する（ステップＳ２００）。
【００５９】
ブリッジ回路２０のコマンド解析部２２が、表示コントローラ１０から通常の画像データＸを送信する旨の情報を受信すると（ステップＳ２００、Ｎｏ）、コマンド解析部２２はクロック制御部５０にクロック５１の動作を停止するよう指示情報を送信する。クロック制御部５０は、コマンド解析部２２からの指示情報に基づいてクロック５１を停止させる（ステップＳ２１０）。クロック５１の停止によって、タイミング生成部２３、メモリ制御部２４、コマンド生成部２５、フレームメモリ２６の動作が停止する。
【００６０】
この後、実施の形態１で説明した立体画像表示システムの動作手順と同様の動作手順によって液晶パネル３２で通常の画像を表示させる（ステップＳ２２０）。すなわち、コマンド解析部２２は表示コントローラ１０から送信される通常の画像データ等を液晶表示装置３０に送信するようＩ／Ｆ切替部２１に指示情報を送信する。Ｉ／Ｆ切替部２１は、表示コントローラ１０からの画像データをそのまま液晶表示装置３０に転送し、液晶パネル３２において通常の画像データを表示する。
【００６１】
一方、ブリッジ回路２０のコマンド解析部２２が、表示コントローラ１０から立体視用の画像データを送信する旨の情報を受信すると（ステップＳ２００、Ｙｅｓ）、コマンド生成部２５から送信される画像データ等を液晶表示装置３０に送信するようＩ／Ｆ切替部２１に指示情報を送信する。
【００６２】
このとき、クロック５１が停止している場合は、コマンド解析部２２はクロック制御部５０にクロック５１の動作を再開するよう指示情報を送信する。クロック制御部５０は、コマンド解析部２２からの指示情報に基づいてクロック５１の動作を再開させる（ステップＳ２３０）。クロック５１の動作の再開によって、タイミング生成部２３、メモリ制御部２４、コマンド生成部２５、フレームメモリ２６が動作可能な状態となる。
【００６３】
この後、実施の形態１で説明した立体画像表示システムの動作手順と同様の動作手順によって液晶パネル３２で画像を立体視できるよう表示させる（ステップＳ２４０）。すなわち、表示コントローラ１０からブリッジ回路２０に右目用画像データＲと左目用画像データＬの２枚の画像データを送信し、ブリッジ回路２０が右目用画像データＲと左目用画像データＬの２枚の画像データを受信する。
【００６４】
表示コントローラ１０から送信された右目用画像データＲと左目用画像データＬは、メモリ制御部２４の制御によってフレームメモリ２６で記憶され、メモリ制御部２４はタイミング生成部２３からのタイミング情報に基づいてフレームメモリ２６からコマンド生成部２５に右目用画像データＲと左目用画像データＬを交互に繰り返して送信させる。
【００６５】
コマンド生成部２５は、タイミング生成部２３からのタイミング情報に基づいて、右目用画像データＲと左目用画像データＬを交互にＩ／Ｆ切替部２１に送信する。Ｉ／Ｆ切替部２１は、コマンド生成部２５から送信される、右目用画像データＲや左目用画像データＬを液晶表示装置３０の液晶ドライバ３１に送信する。液晶ドライバ３１は、液晶パネル３２に対して右目用画像データＲと左目用画像データＬを交互に繰り返し表示させる。
【００６６】
なお、本実施の形態２におけるフレームメモリ２６の代わりに実施の形態１で説明した動画フレームメモリ４０を備える構成としてもよい。これにより、表示コントローラ１０から動画データが出力される場合であっても、ブリッジ回路２０が液晶表示装置３０に対して立体視を可能とする動画データを送信することが可能となる。
【００６７】
このように実施の形態２によれば、表示コントローラ１０からの画像データをそのまま液晶表示装置３０に転送する場合に、ブリッジ回路２０のクロック５１を停止させるので、タイミング生成部２３、メモリ制御部２４、コマンド生成部２５、フレームメモリ２６の動作が停止する。したがって、表示コントローラ１０からの画像データをそのまま液晶表示装置３０に転送する場合に、ブリッジ回路２０における消費電力を低減させることが可能となる。
【産業上の利用可能性】
【００６８】
以上のように、本発明にかかる画像表示回路装置は、画像の立体視を可能にする回路装置に適している。
【図面の簡単な説明】
【００６９】
【図１】実施の形態１にかかる立体画像表示回路装置を備えた立体画像表示システムの構成を示す図である。
【図２】実施の形態１にかかる立体画像表示回路装置を備えた立体画像表示システムの動作手順を示すフローチャートである。
【図３】表示コントローラから送信される通常の画像データを液晶表示装置にそのまま送信している状態を示す図である。
【図４】フレームメモリが送信する右目用画像データと左目用画像データを説明ための図である。
【図５】動画を立体視可能な動画データとして送信可能なブリッジ回路の構成を示す図である。
【図６】実施の形態２にかかる立体画像表示回路装置を備えた立体画像表示システムの構成を示す図である。
【図７】実施の形態２にかかる立体画像表示回路装置を備えた立体画像表示システムの動作手順を示すフローチャートである。
【符号の説明】
【００７０】
１０  表示コントローラ
２０  ブリッジ回路
２１  切替部
２２  コマンド解析部
２３  タイミング生成部
２４  メモリ制御部
２５  コマンド生成部
２６  フレームメモリ
３０  液晶表示装置
３１  液晶ドライバ
３２  液晶パネル
４０  動画フレームメモリ
４１  セレクタ
４２Ａ，４２Ｂ  メモリ部
５０  クロック制御部
５１  クロック
Ｌ  左目用画像データ
Ｒ  右目用画像データ
Ｘ  通常の画像データ
【図１】
2005260338.tif 000003
【図２】
2005260338.tif 000004
【図３】
2005260338.tif 000005
【図４】
2005260338.tif 000006
【図５】
2005260338.tif 000007
【図６】
2005260338.tif 000008
【図７】
2005260338.tif 000009